(57)【特許請求の範囲】
【請求項１】
筐体と、
前記筐体内に配置されたファンと、
前記筐体内に配置されたヒータと、
前記筐体内に配置され、イオンを発生するイオン発生部を有するイオン発生器と、
前記ファンより上流に配置され、前記筐体に取り付けられた吸気口と、
前記ヒータにより温められる温風を前記イオンとともに外部へ吐出する１つの吐出口と、
前記吸気口と前記吐出口とを連通し、内部に前記イオン発生部と前記ファンとが配置された空気流路と、を備え、
前記イオン発生部は、前記ファンより上流で、かつ、前記ファンの中心線から偏倚した位置に設けられていることを特徴とするヘアドライヤ。
【請求項２】
前記吸気口は前記筐体に対して着脱可能となっている吸気フィルタであり、該吸気フィルタを外した状態において前記イオン発生器が前記筺体に対して着脱可能になっていることを特徴とする請求項１に記載のヘアドライヤ。
【請求項３】
前記イオン発生部がプラスイオンを発生させるイオン発生部と、マイナスイオンを発生させるイオン発生部とからなることを特徴とする請求項１または請求項２に記載のヘアドライヤ。
【請求項４】
前記ファンがプロペラファンであることを特徴とする請求項１から３のいずれか１項に記載のヘアドライヤ。
【請求項５】
前記空気流路は前記ヒータが配置された空気流路と前記ヒータが配置されていない空気流路とを有することを特徴とする請求項１から４のいずれか１項に記載のヘアドライヤ。
【請求項６】
前記空気流路の前記ヒータが配置されていない空気流路と、前記イオン発生器とが、前記ファンを間に挟んでほぼ平行に配置されていることを特徴とする請求項５に記載のヘアドライヤ。
【請求項７】
裏蓋が、前記筐体に取り付けられており、前記裏蓋が、前記筐体に対して着脱可能となっていることを特徴とする請求項１から６のいずれか１項に記載のヘアドライヤ。
【発明の詳細な説明】
【技術分野】
【０００１】
本発明は、温風を送風して髪の乾燥やセットを行うと共に、イオンを含んだ風を送風して髪のトリートメントを行うことができるヘアドライヤに関するものである。
【背景技術】
【０００２】
従来より、温風を吐出して髪の乾燥やセットを行うだけでなく、イオンを含んだ風を送風することにより髪のトリートメントも行うことができるヘアドライヤが用いられている。
【０００３】
例えば、特許文献１にはハウジング内に送風用のファン、イオンを発生するイオン発生器、ヒータ等を備えたヘアドライヤが示されている。ヘアドライヤは、ファンから送風された空気をヒータにより温めて、温まった空気をハウジングの空気吐出口より外部へ送り出し髪を乾かす。その際、ブラッシングなどにより髪が帯電することがある。そのため、イオン発生器をファンよりも下流に配置し、イオン風を発生させて髪に当てて静電気の発生を防止していた。
【先行技術文献】
【特許文献】
【０００４】
【特許文献１】特開２００２−１９１４２６号公報
【発明の概要】
【発明が解決しようとする課題】
【０００５】
従来のヘアドライヤはファンが回転することにより静電気が発生し、生じた帯電によりほこりが付着する問題があった。また、ファンに付着したほこりの塊りが下流に流れ、ヒータに付着し放電を引き起こすことによる火災のおそれや、ほこりの塊りが髪に付着するといった問題があった。
【０００６】
また、イオン発生器の交換やメンテナンスが容易にできるような構成になっていなかった。
【０００７】
本発明は、上記の点に鑑みてなされてものであり、イオン発生器により発生させたイオンまたはイオンと結合した水分子を利用してファンに付着するほこりを軽減することを目的とする。また、イオン発生器の交換やメンテナンスを容易にできるようにすることを目的とする。
【課題を解決するための手段】
【０００８】
本発明に係るヘアドライヤは、筐体と、前記筐体内に配置されたファンと、前記筐体内に配置されたヒータと、前記筐体内で前記ファンより上流に配置され、イオンを発生するイオン発生部を有するイオン発生器と、前記ファンより上流に配置され、前記筐体に取り付けられた吸気口とを備え、前記イオン発生部が前記ファンの中心線から偏倚した位置に設けられていることを特徴とする。
【０００９】
また、前記ファンと前記吸気フィルタとの間に前記イオン発生器が配置されていてもよい。
【００１０】
また、前記筐体は内部に複数の空気流路を備え、前記空気流路は前記ヒータが配置された空気流路と前記ヒータが配置されていない空気流路とを有してもよい。
【００１１】
また、前記空気流路の前記ヒータが配置されていない空気流路と、前記イオン発生器とが、前記ファンを間に挟んでほぼ平行に配置されていてもよい。
【００１２】
また、前記吸気フィルタ、またはさらに裏蓋が前記筐体に取り付けられている場合は裏蓋が、前記筐体に対して取り外し可能となっていてもよい。
【００１３】
また、前記イオン発生器がプラスイオンとマイナスイオンとを発生させるイオン発生部を備えていてもよい。
【００１４】
また、前記イオン発生器が水分子と結合したイオンを発生させるものであってもよい。
【発明の効果】
【００１５】
本発明に係るヘアドライヤによれば、イオン発生器により発生させたイオンまたはイオンと結合した水分子を利用してファンに付着するほこりを軽減することができる。
【図面の簡単な説明】
【００１６】
【図１】本発明の実施例１に係るヘアドライヤの側面透視図である。
【図２】本発明の実施例１に係るヘアドライヤの背面透視図である。
【図３】イオン発生器の外観例を示す斜視図である。
【図４】本発明の実施例１に係るイオン発生器の配置を示す図である。
【図５】本発明の実施例２に係るヘアドライヤの正面図である。
【図６】本発明の実施例４に係るヘアドライヤの側面透視図である。
【図７】ファンの外観例を示す斜視図である。
【図８】本発明の実施例５に係るヘアドライヤの側面透視図である。
【図９】本発明の実施例６に係るヘアドライヤの斜視図である。
【図１０】本発明の実施例７に係るヘアドライヤの側面透視図である。
【発明を実施するための形態】
【００１７】
以下、本発明の実施例について図面を用いて説明する。
【実施例１】
【００１８】
（ドライヤの構成）
図１は本発明の実施例１に係るヘアドライヤの内部構成を示す側面透視図であり、図２は背面透視図である。
【００１９】
ヘアドライヤ１は、筐体２と、筐体２の空気の吸い込み側にある吸気フィルタ３、筐体２に取り付けられたハンドル４と、ノズル１３から外装が構成されている。なお、筐体２、吸気フィルタ３、ハンドル４及びノズル１３は一体形成されていてもよい。
【００２０】
筐体２の内部には、イオンを発生させるイオン発生器５、空気を送風するファン６、ファン６を駆動するための図示しないモーターや配線、仕切板１０、ヒータ１１が設けられている。
【００２１】
ここで、筐体２内でファン６よりも吸気フィルタ３側（図１の右側）を上流側、ファン６よりも吐出口１２側（図１の左側）を下流側と呼ぶ。なお、ある部分を基準として、それよりも空気の流れが上流側を上流に位置するなどと呼ぶ。例えば、ファン６は空気流路７の上流に位置している。
【００２２】
筐体２について説明すると、プラスチック製で内部にマイカフィルムが貼り付けられ耐熱性が高められている。筐体２は、内部が空洞になっており、空気が流れるようになっている。筐体２は、筐体２の一方端は空気の流入口で吸気フィルタ３が取り付けられ、もう一方端は空気が吐き出される吐出口１２となっており、その間に空気流路７がある。吐出口１２には通常金属製のフィルタがつけられることが多い。
【００２３】
吸気フィルタ３は金属又はプラスチック製であり、網目状や格子状に孔が開いている。吸気フィルタ３は、ほこりなど大きな異物が入らないように、また動作中に誤って指などがファン６に触れないように保護する役割を果たしている。ここでは、吸気フィルタ３は筐体２から着脱できるように筐体２に取り付けられている。
【００２４】
ハンドル４は、プラスチック製であり、スイッチ１４が設けられている。ハンドル４にあるスイッチ１４を操作しヘアドライヤ１を動作状態にすると、イオン発生器５、ファン６、ヒータ１１が動作する。スイッチ１４の操作により、例えば髪を乾かすのに適した強温風モード、スタイリングに適した弱温風モード、風のみを送風する送風モードなど用途に応じたモードに切り替えることができる。送風モード時にはヒータ１１は動作しない。
【００２５】
イオン発生器５は筐体２の上流側に配置され、具体的には吸気フィルタ３とファン６の間に配置されている。また、イオン発生器５はファン６の中心線よりも上方に配置されている。イオン発生器５は、イオンを発生させており、それと同時にイオンと水分子が結合している状態のイオンを発生させる場合もある。イオンやイオンに結合している水分子により髪の除電や髪をしっとりとさせる効果を発揮する。
【００２６】
ファン６は、空気を吸気フィルタ４を介して筐体２内に取り込み、筐体２の吐出口１２より外へ送りだす。ファン６は、ポリプロピレン製である。ファン６から送風された空気は、空気流路７を通る。空気流路７は、マイカ製の仕切板１０により上空気流路８と下空気流路９に分かれている。下空気流路９を通る空気は、ヒータ１１により温められ温風として外へ送りだされる。上空気流路８を通る空気は、ヒータ１１を介さずにそのまま送りだされる。上下の空気流路を通った空気は、吐出口１２を出て、ノズル１３の先端から外へ送りだされる。
【００２７】
ファン６は、空気を吸気フィルタ３を介して筐体２内に取り込み、筐体２の吐出口１２より外へ送りだす。ファン６は、ポリプロピレン製である。ファン６から送風された空気は、空気流路７を通る。空気流路７は、マイカ製の仕切板１０により上空気流路８と下空気流路９に分かれている。下空気流路９を通る空気は、ヒータ１１により温められ温風として外へ送りだされる。上空気流路８を通る空気は、ヒータ１１を介さずにそのまま送りだされる。上下の空気流路を通った空気は、吐出口１２を出て、ノズル１３の先端から外へ送りだされる。
【００２８】
ノズル１３は、プラスチック製で、断面形状が台形状になっており吐き出し口側が広く他端が狭くなっている。ノズル１３は、吐出口１２から吐き出される空気が広がらないように整流する。
【００２９】
本実施例のように、吸気フィルタ３の吸気面積が空気流路７の内寸よりも大きいことが望ましい。これにより、より速い風をヘアドライヤ１の外部へ送風することができる。
（イオン発生器）
次に、イオン発生器５について詳細に説明する。
【００３０】
図３は、イオン発生器５の斜視図である。イオン発生器５は、針電極１５と誘導電極１６からなるイオン発生部を２つ有している。各イオン発生部は、針電極１５は先端が尖った針形状であり、その周囲を囲むように円形の誘導電極１６が配置され、両電極間の間隔は８ｍｍになっている。
【００３１】
例えば、針電極１５に実効電圧＋２ｋＶ以上の電圧と０Ｖが切り替わる６０Ｈｚの交流を印加し、誘導電極１６に０Ｖの直流を印加することによりイオンが発生する。針電極１５に実効電圧＋２ｋＶ以上が印加されているときに誘導電極１６との間の電位差によりコロナ放電が起こり、針電極１５の先端部近傍で空気中の水分子が電離して水素イオン（Ｈ＋）が生成する。この水素イオンが空気中の水分子と群状態で結合（クラスタリング）し、Ｈ＋（Ｈ２Ｏ）ｍ（ｍは任意の自然数）から成る正イオンが発生する。
【００３２】
また、針電極１５に実効電圧−２ｋＶ以下の電圧と０Ｖが切り替わる６０Ｈｚの交流を印加し、誘導電極１６に０Ｖの直流を印加することによりマイナスイオンが発生する。このマイナスイオンは、空気中の酸素分子又は水分子が電離して酸素イオンＯ２−が生成する。この酸素イオンが空気中の水分子と結合（クラスタリング）して、Ｏ２−（Ｈ２Ｏ）ｎ（ｎは任意の自然数）から成る負イオンが発生する。
【００３３】
ここでは、イオン発生器５はイオン発生部を２つ有しており、各イオン発生部はプラスイオン発生部とマイナスイオン発生部となっている。そのため、プラスイオンとマイナスイオンが同時に放出され、ファン６により作りだされる空気の気流に乗って下流へと流れる。
【００３４】
イオン発生器５は図３に示すようにイオン発生部が左右に並ぶように配置されている。また、電極１５、１６はファン６側に配置されている。本来は電極１５、１６が気流に対して垂直になるような方向に配置することが好ましい。これは、イオン発生器は図３に示すように電極があるイオン発生面が横長で、針電極１５方向の奥行きが長いため、吸気口（吸気フィルタ３）をさえぎる配置となり好ましくないからである。
【００３５】
図４はイオン発生器の配置を示す図であり、（ａ）から（ｃ）に示す３つの配置で吐出口１２から出てくるイオンの発生量を調べた。イオンの発生量を表１に示す。
【００３６】
図４(ａ)に示すようにイオン発生器５を矢印で示す風の流れに対し直交する方向に電極を配置した場合は表１に示すように９５万個／ｃｃから１２０万個／ｃｃのイオンが出ており、送風される空気中のイオン濃度がもっとも濃い。ここでは、通常の送風量のときと（ＮＯＲＭＡＬ）、送風量が多い（送風が速い）状態（ＴＵＲＢＯ）の２つの状態で実験を行った。なお、図では電極が下向きになっているが上向きでもほぼ同じ結果が得られる。
【００３７】
図４（ｂ）は風の向きに対し風下の方に電極は配置されている。この場合でも、９０万個／ｃｃから１１０万個／ｃｃのイオンが出ており実用上問題のない量のイオンが吐出口１２から吐き出される。
【００３８】
また、図４（ｃ）は風の向きに対し風上の方に電極は配置されている。この場合でも、９５万個／ｃｃから１０５万個／ｃｃのイオンが出ており実用上問題のない量のイオンが吐出口１２から吐き出される。
【００３９】
【表１】
0005303011.tif 000002
【００４０】
このように、吐き出されるイオンの量はどのように配置しても十分な量が得られるため、イオン発生器５による吸入口で遮られることにより送風量が落ちないように図４（ｂ）または図４（ｃ）のように配置することが好ましい。特に、電極にほこりが直接つきにくい図４（ｂ）の配置が好ましい。
【００４１】
なお、吐き出されるプラスイオンとマイナスイオンはほぼ同数、若しくはマイナスイオンの方が多いことが望ましい。プラスイオンとマイナスイオンの数のバランスが取れている方がＯＨラジカルが発生する確率が高くなる。バランスしていない場合は、髪はプラスに帯電しているためマイナスイオンが多い方が髪のきしみや傷みを防止することができるため好ましい。
【００４２】
従来のイオン発生器が搭載されているヘアドライヤでは、特許文献１のようにイオン発生器は専用通路に設けられ、専用通路は空気の送付量が制限されるような細い通路になっており、風量が弱く髪に届きにくいという欠点があった。また、特許文献１のような構成ではドライヤの本来の風が熱く風量が強いため、イオン専用通路から出る弱い風が本当に髪に当たっているか気がついていないことが多く、実際には髪に当たっていないことも多かった。しかし、本発明のようにすると、イオン専用風ではなく他の風と同じ風を用いているため使用者が髪にイオン風が当たっているかどうか気がつくため髪や頭皮に適切に当てながら使用することができるためイオンによる効果を発揮しやすい。
【００４３】
しかも、表１を見れば明らかなように風量が多くなれば発生したイオンを効果的にヘアドライヤの外に出すことができるため、サロンのような強い風を使って髪を乾かしたときにより強い効果が発揮できることになり、しっとりとしたきしみや傷みのないサロンのブローをしたような効果を家庭でも得られるようになる。
【００４４】
下流に送風されたイオンは吐出口１２、ノズル１３を経由して髪に送風される。髪はブラッシングによりプラスに帯電しやすいため、マイナスイオンにより静電気の発生を防止し髪の傷みを改善することができる。また、プラスイオンによりマイナスに帯電したブラシの静電気の発生を防止し髪の傷みを改善することができる。さらに、水分子と結合したイオンを髪に当てることにより、ナノやマイクロレベルの小さな水分子により髪に水分を浸透させることができ、しっとりとした髪を得ることができる。
【００４５】
本実施例のイオン発生器５を用いるとプラスイオンとマイナスイオンが頭皮に付着し、両者が反応しＯＨラジカルを作る。ＯＨラジカルは、育毛のさまたげになっている頭皮に残っているシャンプーやリンスの残りかすを酸化させ、二重結合を断ち切る。これにより育毛に最適な頭皮を作る手助けをすることができる。なお、ＯＨラジカルは不安定であるためナノ秒単位でしか存在することができない。そのためＯＨラジカルをイオン発生器５で作りだしても頭皮に届く前に消滅してしまう。しかし、本実施例のようにプラスイオンとマイナスイオンをイオン発生部で作りだし、頭皮で両者を反応させることにより効果的に頭皮でＯＨラジカルを作り出すことができる。また、ＯＨラジカルは除菌消臭効果もある。
【００４６】
本実施例では、同時に、イオン発生器５より発生したイオンは、ファン６に吸い込まれる。ファン６は、高速で回転するため空気との摩擦により静電気が発生し、ほこりが付きやすい。特に、吸気フィルタ３をすり抜ける小さなほこりは静電気により簡単に吸引されやすい。しかし、本実施例のように、イオン発生器５を吸気フィルタ３とファン６の間である上流側に配置することにより、イオン発生器５で発生したイオンによりファン６の帯電を軽減し、ファン６にほこりが付くのを軽減することができる。これにより、ファン６を清潔に保つことができる。また、ファン６に付着したほこりの塊りが下流に流れ、ヒータに付着し放電を引き起こすことによる火災のおそれや、ほこりの塊りが髪に付着するといった問題を防止することができる。
【００４７】
以上、本発明の実施例について説明を行ったが、これ以外にも様々な変更を行うことができる。例えば、イオン発生器５として格子状の電極のものを用いることもできるし、ファン６としてプロペラファンだけでなくシロッコファンを用いることも可能である。
【００４８】
マイナスイオンあるいはプラスイオンだけ用いた場合は吐出口１２に設けてあるフィルタが帯電してイオンが出にくくなることがあるが、プラスとマイナスのイオンによりそのような現象が防止できる。
【００４９】
イオン発生器５をヒータ１１から遠い位置に配置しているため、イオン発生器５がヒータ１１の熱により誤動作、故障することを防止することができる。
【００５０】
ファン６としてプロペラファンなど旋回風を送風するものを使った場合、ファン６よりもイオン発生器５を下流に配置するとイオンが発生した直後に旋回風が送られてくるため、プラスイオンとマイナスイオンが中和しヘアドライヤ１の外に出るイオンの量が少なくなる問題があった。しかし、本実施例のようにファン６の上流に配置することで比較的平行風がイオン発生器５に当たるようになりイオン発生直後に中和することがなくなる。一旦、プラスイオンとマイナスイオンで分離された状態で送風されれば、その後旋回風となっても分離した状態が続き中和されにくくなるため、ヘアドライヤ１の外に出るイオンの量を増やすことができる。
【００５１】
イオン発生器５のプラスイオンとマイナスイオンのイオン発生部をファンの直径の１／２程度離れて配置することが望ましい。特に、プラスイオンとマイナスイオンのイオン発生部を風の向きに対して直交する方向に約２０ｍｍ以上離すとよい。これにより、イオン発生直後にプラスイオンとマイナスイオンが中和を減少することができる。
【００５２】
本実施例のように空気中の水分子を利用するイオン発生器を用いる場合は、特許文献１のように狭い空気流路に置くよりも、大量の空気を吸気する吸気側（上流側）に設けることにより、効果的に空気中の水分子を利用することができ、イオンや水分子に結合したイオンを多く発生させることができる。そのため、ファン６などの静電気の発生防止、髪の静電気の発生防止の効果が上がる。
【００５３】
本実施例のように上下に分かれた空気流路７とした場合、ヒータ１１を通らないイオンを吐出口１２から出すことができるため、特に水分子と結合したイオンを用いた場合に熱で水分子が壊れることを防止することができるため有効である。特に、本実施例のように上空気流路８とイオン発生器５とをほぼ平行に配置すると、上空気流路８によりヘアドライヤ１の外へより多くのイオンを送風することができるため効果的である。
【実施例２】
【００５４】
図５は本発明の実施例２に係るヘアドライヤの正面図である。本実施例２では、空気流路７を仕切板１０により上空気流路８と下空気流路９とに分けただけでなく、上空気流路８を左上空気流路８ａと右上空気流路８ｂに分離した。その他は実施例１と同じである。このようにすると、仕切板１０の形状を変えるだけでイオン発生器５で発生したプラスイオンとマイナスイオンが空気流路７で混ざることが少なくなりヘアドライヤ１の外へ出るイオンの量を多くすることができる。なお、仕切り板１０は一体形成されたもの以外にも別々の部材によっても作ることができる。
【実施例３】
【００５５】
本実施例３では、実施例１、２と異なりマイナスイオン発生部のみを有する（プラスイオン発生部を有さない）イオン発生器５を用いた。また、ファン６としてエンジニアリングプラスチックであるポリアミド＝ナイロン製のものを用いた。
【００５６】
イオン発生器５としてペルチェ素子付きのものを用いることが望ましい。ペルチェ素子は、ペルチェ素子の吸熱面側の表面が周囲との温度差により結露が生じ水分を効果的に発生させることができる。その水分を用いて対向する電極間にマイナス電位を与えることにより、マイナスイオンに帯電した帯電微粒子を作ることができる。このマイナスイオンに帯電した帯電微粒子（水分子と結合したマイナスイオン）を髪に送風することにより静電気の発生を防止し、髪にしっとり感を与えることができる。
【００５７】
また、ポリアミド＝ナイロンはプラスに帯電しやすいためイオン発生器５で発生するマイナスイオン（帯電微粒子）により、ファンの帯電を軽減しほこりの付着を軽減することができる。また、本実施例のように帯電微粒子を用いると水分により静電気の発生を抑えることもできる。
【実施例４】
【００５８】
図６は本発明の実施例４に係るヘアドライヤの内部構成を示す側面透視図であり、図７はファンの一例を示す斜視図である。
【００５９】
実施例１から３と本実施例との違いは、空気流路７が上下に分かれておらず一つの空気流路が形成されていることである。なお、ヒータ１１はこれまでの実施例と同様に空気流路の下部分のみに設けられている。図７（ａ）に吹出側、同（ｂ）に吸込側を示すように、ファン６は吹出側に整流板がついた羽６ａを有する。
【００６０】
このような構成でも、イオン発生器５により発生したイオンの多くは平行風に乗って、空気流路７の上側を通り、ヒータ１１により熱せられることなくイオンを含んだ風が吐出口１２から送風される。そのため、イオン及びイオンと結合した水分子が熱せられることによる問題を軽減することが可能となる。また、プラスイオンとマイナスイオンを発生させた場合、両者が中和するのを防止することができる。
【００６１】
なお、本実施例のファン６を実施例１及び２のように仕切板１０を設けると、空気流路７内でヒータ１１の熱を遮断できること及び空気流路７内でプラスイオンとマイナスイオンが混合し中和することが防げられるためさらに効果的である。
【実施例５】
【００６２】
図８は本発明の実施例５に係るヘアドライヤの内部構成を示す側面透視図である。
【００６３】
本実施例では実施例１などと異なり上空気流路８にヒータ１１を配置し、下空気流路９にはヒータ１１がなくファン６から送風された空気がそのまま通る構成となっている。それに合わせてイオン発生器５も下側に配置している。このように配置するとイオン発生器５の電源回路など電気回路をハンドル周辺にまとめて配置することが可能となり好都合である。
【００６４】
また、使用者は熱風を髪に当てるため、実施例１のように下空気流路９を熱風が通るようにすると上空気流路８を通ったイオン風が髪以外のところにあたっていることがあった。しかし、熱風が通る空気流路を上側の上空気流路８とすると下空気流路９を通ったイオン風が髪にあたっている時間が多くなり好ましい。
【実施例６】
【００６５】
図９は本発明の実施例６に係るヘアドライヤの斜視図である。
【００６６】
本実施例６では、イオン発生器５のメンテナンスのために吸気フィルタ３を筺体２から取り外すための具体的な構成を示した。
【００６７】
まず、図９（ａ）に示すように、吸気フィルタ３を筐体２から取り外す。吸気フィルタ３と筺体２は、爪により取り付けられていてもよいし、磁石を用いて取り付けられていてもよいし、回転させて取り外しができるようにしてもよく、具体的な構成は特に問わない。
【００６８】
次に、図９（ｂ）に示すように、イオン発生器５を筐体２から取り外す。本実施例では、イオン発生器５をスライドさせることにより筺体２から容易に取り外せるようにした。イオン発生器５の電源は電極側の下にコネクタをつけて、抜き差しするだけで電源とつなぐことができる。なお、スライド機構以外に、ネジ止め、バネを用いたプッシュ機構など様々な形態を用いることができる。
【００６９】
吸気フィルタ３を筺体２から取り外すことにより、イオン発生器５のメンテナンス、交換が容易に行えるようになる。イオン発生器５の針電極１５及び誘導電極１６、特に針電極１５はイオンを発生させていくと徐々に表面に異物が付着し性能を発揮しなくなる。特にヘアスプレを用いると、空気中にその成分が残り、その空気をファンが取り込むことにより電極の表面に異物が付着しやすくなり、比較的早い段階で性能を発揮しなくなることを本願発明者らは実験により確認した。そのため、定期的に電極のメンテナンスを行うか、イオン発生器５の交換を行うことが望ましい。
【００７０】
このようにイオン発生器５をファン６の上流に配置することにより容易にイオン発生器５をメンテナンスすることができるようになる。
【実施例７】
【００７１】
図１０は本発明の実施例７に係るヘアドライヤの内部構成を示す側面透視図である。
【００７２】
本実施例７では、これまでの実施例と異なり吸気フィルタ３をイオン発生器５とファン６との間に配置した。イオン発生器５はこれまでと同様に筐体２内の上流側、つまりファン６の上流に配置されている。
【００７３】
空気は、吸気フィルタ３から入りファン６へ吸い込まれ、ファン６から空気流路７を通って吐出口１２、ノズル１３を介してヘアドライヤ１の外へ送風される。イオンは、イオン発生器５で発生し吸気フィルタ３からファン６への風の流れにのって下流へ送風される。従って、イオンによりファン６の帯電を防止など、これまで説明した実施例と同様な効果が得られる。
【００７４】
また、本実施例ではイオン発生器５をメンテナンスする場合、実施例６のように吸気フィルタ３を取り外してメンテナンスをするのではなく、裏蓋１７を取り外し可能な構造とし、メンテナンスを行えるようにした。裏蓋１７は筐体２と外観上の一体感を損なわないように同じ材料を使うことが好ましい。
【００７５】
以上、本発明の実施例について説明を行ったが、これ以外にも様々な変更を行うことができる。例えば、イオン発生器５として格子状の電極のものを用いることもできるし、ファン６としてプロペラファンだけでなくシロッコファンを用いることも可能である。
【産業上の利用可能性】
【００７６】
本発明は、イオン発生器を搭載したヘアドライヤに関するものである。
【符号の説明】
【００７７】
１  ヘアドライヤ
２  筐体
３  吸気フィルタ
４  ハンドル
５  イオン発生器
６  ファン
７  空気流路
８  上空気流路
９  下空気流路
１０  仕切板
１１  ヒータ
１２  吐出口
１３  ノズル
１４  スイッチ
１５  針電極
１６  誘導電極
１７  裏蓋
【図１】
0005303011.tif 000003
【図２】
0005303011.tif 000004
【図３】
0005303011.tif 000005
【図４】
0005303011.tif 000006
【図５】
0005303011.tif 000007
【図６】
0005303011.tif 000008
【図７】
0005303011.tif 000009
【図８】
0005303011.tif 000010
【図９】
0005303011.tif 000011
【図１０】
0005303011.tif 000012